(57)【要約】【課題】複数の照明負荷を調光制御する調光操作器において、パッチ関係の設定が効率的に行われるようにする。【解決手段】調光操作器１は、複数の照明負荷３に夫々接続される調光器４の各々に対して対応付けされたチャンネル毎に各照明負荷３の明るさを制御する調光制御信号出力レベルを設定する複数のフェーダ部６と、各調光器４と各チャンネルとの対応関係を設定するパッチ設定部７と、を備え、ユーザによるチャンネルと対応付けされた調光器番号を選択する操作に続くフェーダ部６の操作により、パッチ設定が確定されるので、チャンネル番号を選択する操作とパッチ設定モードを終了する操作が不要となり、パッチ設定の確定における操作の効率化を図ることができる。【選択図】図２
2008004470.tif 000002
【特許請求の範囲】
【請求項１】
複数の照明負荷に夫々接続される調光器の各々に対して、照明負荷を調光制御するための調光制御信号を出力する調光操作器であって、
前記調光器の夫々に対して対応付けされたチャンネル毎に各照明負荷の明るさを制御する調光制御信号出力レベルを設定する複数のフェーダ部と、
前記各調光器と各チャンネルとの対応関係を設定するパッチ設定部と、を備え、
前記パッチ設定部は、前記チャンネルと対応付けされた調光器の番号を選択する調光器選択ボタンと、選択された調光器の番号を点灯表示する表示部と、を備え、ユーザによる前記調光器選択ボタンの操作による調光器番号の選択に続く前記フェーダ部の操作により前記各調光器と各チャンネルとの対応関係の設定が確定されるようにしたことを特徴とする調光操作器。
【請求項２】
前記フェーダ部が一定の移動量以上操作されることによって前記各調光器と各チャンネルとの対応関係の設定が確定されるようにしたことを特徴とする請求頂１に記載の調光操作器。
【請求項３】
前記フェーダ部が反復操作されることによって前記各調光器と各チャンネルとの対応関係の設定が確定されるようにしたことを特徴とする請求頂１又は請求項２に記載の調光操作器。
【請求項４】
前記調光操作器は、時間を計測するタイマ部を更に備え、
前記タイマ部は、前記各調光器と各チャンネルとの対応関係の設定が確定された後の時間を計測し、一定時間経過後に、前記表示部を消灯させるようにしたことを特徴とする請求頂１乃至請求項３のいずれか一項に記載の調光操作器。
【発明の詳細な説明】
【技術分野】
【０００１】
本発明は、劇場やホール等の舞台照明に用いられる複数の照明負荷の点灯状態を任意に制御することができる調光操作器に関する。
【背景技術】
【０００２】
一般に舞台照明では、多数の照明負荷が用いられ、各照明負荷の点灯、消灯及び光出力レベル等の点灯状態を、舞台のシーンに応じてユーザが任意に制御することができるようにした調光操作器が用いられている。例えば、特許文献１に示されるように、複数の照明器具と予め対応関係が設定された複数の操作部を備え、各操作部をユーザが操作することで、各照明負荷の点灯状態を任意に制御することができる調光操作器を用いた照明システムが知られている。上記特許文献１に示される照明システムは、舞台で演じられる各シーンに応じて、適宜に照明負荷の点灯状態を制御する必要があることから、上記の各操作部には複数のチャンネルが備えられていて、ユーザは、複数の照明負荷の夫々に接続された調光器の各々を何れかのチャンネルに対応関係を設定すること（以下、パッチ設定）により、各操作部の操作により複数の照明負荷を任意に制御する。また、特許文献２に示されるように、上記のパッチ設定を容易にし、少ない部品点数で製造可能な調光操作器を用いた照明制御装置が知られている。
【０００３】
ここで、従来の調光操作器における、一般的なパッチ設定について、図７を参照して説明する。従来の調光操作器１００は、複数の照明負荷（図示せず）の夫々に接続された調光器（図示せず）の各々に対して対応付けされたチャンネル毎に調光制御信号出力レベルを設定する複数のフェーダ部１６０及び各調光器と各チャンネルとの対応関係（以下、パッチ関係）を設定するパッチ設定部１７０を備えている。また、このパッチ設定部１７０は、通常の調光操作を行うモード（以下、動作モード）とパッチ設定を行うモード（以下、パッチ設定モード）とを切り替える切替スイッチ１７１、チャンネルの番号を選択するチャンネル選択ボタン１７４ａ，１７４ｂ、選択されたチャンネルの番号を点灯表示するチャンネル番号表示部１７５、選択されたチャンネルと対応付けられる調光器の番号を選択する調光器選択ボタン１７２ａ，１７２ｂ、選択された調光器の番号を点灯表示する調光器番号表示部１７３、及び選択された調光器とチャンネルとのパッチ設定を確定するセットボタン１７６を備えている。
【０００４】
まず、ユーザは切替スイッチ１７１を押釦して、調光操作器１００を動作モードからパッチ設定モードにした後に、チャンネル選択ボタン１７４ａ，１７４ｂを押釦してフェーダ部１６０に割り当てられた何れか１つのチャンネル番号を選択する。図示では、１番のチャンネル（ＣＨ１)が選択された例を示す。このチャンネル番号の選択に続き、ユーザは調光器選択ボタン１７２ａ，１７２ｂを押釦して、チャンネルと対応付けられる調光器番号を選択し、セットボタン１７６を押釦することによりパッチ設定がなされる。ここに、３番の調光器が選択された例を示す。続いて、ユーザが再び切替スイッチ１７１を押釦して、パッチ設定モードを動作モードへ切り替えると、上記のパッチ関係が調光操作器１００の記憶部（図示せず）に記憶される。その後、ユーザは、動作モードにおいて、フェーダ部１６０を操作して、照明負荷の点灯状態を確認することで、チャンネルと調光器とのパッチ関係が正しく設定されていることを確認する。
【特許文献１】特開平７−１７６３８６号公報
【特許文献２】特開平９−３０６６７７号公報
【発明の開示】
【発明が解決しようとする課題】
【０００５】
従来の調光操作器において、１つのチャンネルに対するパッチ設定のために、ユーザは、（１）調光操作器をパッチ設定モードに切り替え、（２）チャンネル番号を選択し、（３）調光器の番号を選択し、（４）パッチ設定モード終了して動作モードに切り替え、（５）パッチ関係の設定の確認のためにフェーダ部を操作する必要があった。しかしながら、通常、劇場やホール等の舞台照明には、多数の調光器や照明負荷が用いられるので、調光操作器のチャンネル数は非常に多くなり、上記のパッチ設定には多大な時間を要する。従って、上記の操作を少しでも効率化することができれば、上記の調光操作器が用いられる照明システムにおけるパッチ設定を短時間で行うことが可能となる。
【０００６】
本発明は上記課題を解決するものであり、照明システムにおけるパッチ設定の操作をより効率化することができる調光操作器を提供することを目的とする。
【課題を解決するための手段】
【０００７】
上記課題を解決するため、請求項１の発明は、複数の照明負荷に夫々接続される調光器の各々に対して、照明負荷を調光制御するための調光制御信号を出力する調光操作器であって、前記調光器の夫々に対して対応付けされたチャンネル毎に各照明負荷の明るさを制御する調光制御信号出力レベルを設定する複数のフェーダ部と、前記各調光器と各チャンネルとの対応関係を設定するパッチ設定部と、を備え、前記パッチ設定部は、前記チャンネルと対応付けされた調光器の番号を選択する調光器選択ボタンと、選択された調光器の番号を点灯表示する表示部と、を備え、ユーザによる前記調光器選択ボタンの操作による調光器番号の選択に続く前記フェーダ部の操作により前記各調光器と各チャンネルとの対応関係の設定が確定されるようにしたものである。
【０００８】
また、請求項２の発明は、請求頂１に記載の調光操作器において、前記フェーダ部が一定の移動量以上操作されることによって前記各調光器と各チャンネルとの対応関係の設定が確定されるようにしたものである。
【０００９】
請求項３の発明は、請求頂１又は請求項２に記載の調光操作器において、前記フェーダ部が反復操作されることによって前記各調光器と各チャンネルとの対応関係の設定が確定されるようにしたものである。
【００１０】
請求項４の発明は、請求頂１乃至請求項３のいずれか一項に記載の調光操作器において、前記調光操作器は、時間を計測するタイマ部を更に備え、前記タイマ部は、前記各調光器と各チャンネルとの対応関係の設定が確定された後の時間を計測し、一定時間経過後に、前記表示部を消灯させるとうにしたものである。
【発明の効果】
【００１１】
請求項１の発明によれば、チャンネル番号を選択する操作やパッチ設定モードを終了して動作モードに切り替える操作が不要となり、従って、パッチ設定の操作を効率化することができる。また、チャンネル番号の選択に必要なチャンネル番号表示部や番号選択ボタン等の部品も不要となり、調光操作器の小型化及び低コスト化を実現することができる。
【００１２】
請求項２及び請求項３の発明によれば、ユーザが意図的にフェーダ部を操作したときに、パッチ設定が確定されるので、ユーザの誤操作等により、その都度パッチ設定が確定してしまうことがない。
【００１３】
請求項４の発明によれば、調光操作器がパッチ設定モードとなっているときは、表示部が点灯しており、一方、動作モードとなっているときは、表示部は消灯していることになるので、ユーザは、表示部を確認することで、調光操作器のモードの状態を容易に認識することができ、調光操作器を誤操作する虞がなくなる。
【発明の実施の形態】
【００１４】
本発明の一実施形態に係る調光操作器について、図１及び図２を参照して説明する。調光操作器１は、照明システム２の調光操作に用いられるものであり、複数の照明負荷３の夫々に繋がれた複数の調光器４と接続され、調光器４の各々に対して、照明負荷を調光制御するための調光制御信号を出力する。なお、調光器４は、スイッチング回路を有し、受信した調光制御信号に応じて高周波電力を発生させるものであり、照明システム２においては複数の調光器４が調光盤５に収納されている。
【００１５】
上記の調光操作器１は、調光器４へ出力される調光制御信号の出力レベルを設定する複数のフェーダ部６、各調光器４と各チャンネルとの対応関係（以下、パッチ関係）を設定するパッチ設定部７、パッチ関係を記憶するパッチ記憶部８、及び上記各部を制御すると共に、調光器４へ調光制御信号を出力する制御部９を備えている。
【００１６】
フェーダ部６は、調光器４の夫々に対して対応付けされたチャンネル毎に各照明負荷３の明るさを制御する調光制御信号出力レベルを設定するものであり、例えば、スライド式の可変抵抗器が用いられる。なお、フェーダ部６は、上記のスライド式に限られず、調光操作器１の前面にエンコーダに連動したホイールの周面の一部を露出させ、そのホイールの回転によってレベルを設定するものや、ピアノスイッチをアップ／ダウンスイッチに用いてレベルを設定するものなど、チャンネル毎に出力レベルを設定できるものであれば、特に限定されるものではない。また各チャンネルは、本実施形態で用いられるＤＭＸ５１２制御信号に対応しているものとする。
【００１７】
パッチ設定部７は、フェーダ部６において設定された出力レベルに応じて調光器４へ調光制御信号を出力するモード（以下、動作モード）から、パッチ関係を設定するモード（以下、パッチ設定モード）へ切り替える切替スイッチ７１、上記のチャンネルと対応付けされた調光器４の番号を選択する調光器選択ボタン７２、及び選択された調光器４の番号を点灯表示する表示部７３を備えている。上記のパッチ設定モードについては後述する。
【００１８】
パッチ記憶部８は、上記の調光器選択ボタン７２により選択された調光器の番号を記憶し、この調光器とフェーダ部６のチャンネルとのパッチ関係を記憶するものであり、ＲＡＭのような汎用の書き換え可能なメモリが用いられる。
【００１９】
制御部９は、パッチ設定モードにおいては、調光器選択ボタン７２及びフェーダ部の操作により入力されたパッチ関係をパッチ記憶部８記憶させたり、動作モードにおいては、パッチ記憶部８からパッチ関係を読み出して、フェーダ部６において設定された出力レベルに応じた調光信号を発生する動作を行う。この制御部９は、汎用のマイクロコンピュータと調光信号発生器から成る。上記の調光信号発生器は、例えば、ＰＷＭ信号といった調光制御対象となる照明器具及び調光器の種類に応じた調光制御信号を出力する。
【００２０】
ここで、パッチ記憶部８にパッチ関係が予め記憶されているときの動作について説明する。ユーザがフェーダ部６を操作すると、制御部９は、どのフェーダ部６が操作されたかを検出し、検出したフェーダ部６のチャンネルをパッチ記憶部８に照合することにより、パッチ関係として対応付けられている調光器４に対して調光制御信号を出力する。つまり、制御部９は、フェーダ部６の出力を十分に短い適宜の周期でサンプリングして、フェーダ部６の時間変化を検出する機能を有しており、時系列的に得られるサンプリング値の前後の値に変化が生じると、変化の生じたチャンネルを検出する。このようにして求めた調光器４に対して、ユーザが操作したフェーダ部６の出力レベルに応じた調光制御信号を出力することにより、調光器４に接続された照明負荷３の光出力を制御する。
【００２１】
次に、パッチ記憶部８にパッチ関係を記憶させるパッチ設定モードについて、図３を参照して説明する。なお、図３は、調光操作器のフェーダ部６とパッチ設定部７の部分のみを示している。パッチ設定部７は、調光操作器１の前面に配置された切替スイッチ７１、調光器選択ボタン７２（アップボタン７２ａ及びダウンボタン７２ｂ）及び表示部７３から構成される。ユーザによる調光器選択ボタン７２ａ，７２ｂの操作により選択された調光器４の番号は、表示部７３に点灯表示され、調光器選択ボタン７２ａ，７２ｂの操作毎に調光器４の番号が１ずつ増加又は減少する。上記の動作は上述の制御部９により行われる。ただし、本実施形態において、調光器番号の選択は、必ずしも上記のようなボタンを押釦する操作方式に限られず、例えば、ダイアルを回す操作方式やテンキーにより調光番号を入力する操作方式であってもよい。
【００２２】
ユーザにより切替スイッチ７１が押釦されると、調光操作器１は、動作モードからパッチ設定モードへ切り替わる。ユーザは、調光器選択ボタン７２ａ，７２ｂを操作して表示部７３に点灯表示される調光器番号を確認しながら、パッチ関係を設定する調光器４を選択する。選択された調光器番号はパッチ記憶部８に一時的に記憶される。
【００２３】
ここで、複数の調光器番号の選択を可能とするためには、調光操作器１のパッチ設定部７は、図４に示されるように、任意の調光器番号の選択するボタン７３ａ（「Select」ボタン）及び連続した調光器番号の選択するボタン７３ｂ（「〜」ボタン）を備えたものが望ましい。例えば、ユーザが、調光器番号「５」を選択後、「Select」ボタン７３ｂを押し、その後、調光器番号「１２」を選択することにより、調光器番号５及び１２に対応する調光器４が選択される。また、ユーザが、調光器番号「５」を選択後、「〜」ボタン７３ｂを押し、その後、調光器番号「１２」を選択することにより、調光器番号５〜１２に対応する調光器４が選択される。
【００２４】
次に、ユーザは、選択された調光器４とパッチ関係を設定するチャンネルに対応するフェーダ部６を操作する。このフェーダ部６の操作により、パッチ記憶部に一時的に記憶された調光器番号と操作されたフェーダ部６に対応するチャンネルとのパッチ関係が設定され、設定されたパッチ関係はパッチ記憶部８に記憶され、パッチ設定が確定する。また、上記のフェーダ部６の操作により、パッチ設定モードが解除され、調光操作器１は、動作モードへ切り替わる。
【００２５】
本実施形態において、上記のパッチ設定は、図５（ａ）（ｂ）に示されるように、フェーダ部６が一定の移動量Δ以上操作されることにより確定される。これは、ユーザがパッチ設定時に誤ってフェーダ部６に触れてしまった等の誤操作により、その都度パッチ設定が確定してしまうことを防止するためである。上記の一定の移動量Δは、ユーザが意図的にフェーダ部６を操作したものと考えられる程度の移動量であり、例えば、フェーダ部６の変異幅の略１０％以上とする。また、図５（ｃ）（ｄ）に示されるように、フェーダ部が反復操作されることにより、上記のパッチ設定が確定されるようにしてもよい。
【００２６】
上記のようにしてパッチ設定が確定された後、ユーザは動作モードにおいて、フェーダ部６を操作して、フェーダ部６のチャンネルと調光器４（照明負荷３）との対応関係を、照明負荷３の点灯状態を目視することにより確認する。
【００２７】
このように、本実施形態の調光操作器１は、ユーザが、（１）切替スイッチ７１を押釦し、（２）調光器番号を選択し、（３）フェーダ部６を操作することによりパッチ設定が確定されるため、従来の調光操作器のようなチャンネル番号の選択やパッチ設定モードを終了して動作モードに切り替える操作が不要であり、パッチ設定の操作を効率化することができる。また、チャンネル番号の選択に必要なチャンネル番号表示部や番号選択ボタン等の部品も不要となり、調光操作器の小型化及び低コスト化を実現することができる。
【００２８】
次に、本発明の他の実施形態に係る調光操作器について、図６を参照して説明する。本実施形態に係る調光操作器は、上述の実施形態における調光操作器１において、時間を計測するタイマ部１０を更に備えたものである。このタイマ部１０は、上記のパッチ設定が確定された後、一定時間を計測し、この一定時間経過後に、表示部７３に表示されている調光器番号を消灯させる。ここでいう、一定期間とは、例えば、パッチ設定が確定された後の略２０秒間とされるが、ユーザが任意に設定できるようにしてもよい。
【００２９】
すなわち、本実施形態の調光操作器１は、タイマ部１０の機能により、調光操作器１がパッチ設定モードとなっているときは、表示部７３が点灯しており、一方、動作モードとなっているときは、表示部７３は消灯していることになる。従って、ユーザは、表示部７３を確認することで、調光操作器１が何れのモードになっているかを容易に認識することができるので、調光操作器１の誤操作をする虞がなくなる。
【００３０】
なお、本発明は、上記構成に限られることなく種々の変形が可能である。例えば、上記実施形態において、タイマ部１０は、調光器選択ボタン７２ａ，７２ｂが押釦された後の時間を計測し、一定時間中にユーザが調光器選択ボタン７２ａ，７２ｂを押釦しないときに、パッチ設定モードを解除するようにしてもよい。これにより、ユーザが誤って切替スイッチ７１を押釦し、その後、調光操作器１が放置されていた場合には、調光操作器１は自動的に動作モードへと切り替わっているので、ユーザが照明負荷を制御しようと調光操作器を操作した際に、間違った操作をする虞がない。
【図面の簡単な説明】
【００３１】
【図１】本発明の一実施形態に係る調光操作器を用いた照明システムの概略図。
【図２】上記照明システムのブロック構成図。
【図３】上記調光操作器のフェーダ部及びパッチ設定部の構成を例示する図。
【図４】上記パッチ設定部の変形例を示す図
【図５】（ａ）〜（ｄ）はパッチ設定の確定のために操作されるフェーダ部の移動量を例示する図。
【図６】本発明の他の実施形態に係る調光操作器を用いた照明システムのブロック構成図。
【図７】従来の調光操作器のフェーダ部及びパッチ設定部の構成を例示する図。
【符号の説明】
【００３２】
１    調光操作器
３    照明負荷
６    フェーダ部
７    パッチ設定部
７１    切替スイッチ
７２    調光器選択ボタン
７２ａ    アップボタン
７２ｂ    ダウンボタン
７３    表示部
８    パッチ記憶部
９    制御部
１０    タイマ部
【図１】
2008004470.tif 000003
【図２】
2008004470.tif 000004
【図３】
2008004470.tif 000005
【図４】
2008004470.tif 000006
【図５】
2008004470.tif 000007
【図６】
2008004470.tif 000008
【図７】
2008004470.tif 000009